(57)【特許請求の範囲】
【請求項１】
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、前記マスターレンズ装置側の第１レンズ群と、前記カメラ本体側の第２レンズ群と、からなり、
前記第１レンズ群は、正屈折力を有し、
前記第２レンズ群は、負屈折力を有し、
前記コンバーターレンズ部は、光路に沿って物体側から像側へ順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなり、
以下の条件式（１）、条件式（４）及び条件式（５）を満足することを特徴とするテレコンバーター。
−１．５３  ＜  ｆ１／ｆ  ＜  −０．６６                （１）
１５  ＜  νｄ１  ＜  ３５                              （４）
５０  ＜  νｄ５  ＜  １００                            （５）
ただし、
ｆは、前記コンバーターレンズ部の全系の焦点距離、
ｆ１は、前記第１レンズ群の焦点距離、
νｄ１は、前記第１正レンズのアッベ数、
νｄ５は、第３正レンズのアッベ数、
である。
【請求項２】
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、前記マスターレンズ装置側の第１レンズ群と、前記カメラ本体側の第２レンズ群と、からなり、
前記第１レンズ群は、正屈折力を有し、
前記第２レンズ群は、負屈折力を有し、
前記コンバーターレンズ部は、光路に沿って物体側から像側へ順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなり、
以下の条件式（１）及び条件式（２−１）を満足することを特徴とするテレコンバーター。
−１．５３  ＜  ｆ１／ｆ  ＜  −０．６６                （１）
−３．０  ＜  ｆ／（Ｂ×Ｄ）  ＜  −１．７              （２−１）
ただし、
ｆは、前記コンバーターレンズ部の全系の焦点距離、
ｆ１は、前記第１レンズ群の焦点距離、
Ｂは、前記コンバーターレンズ部の倍率、
Ｄは、前記コンバーターレンズ部の光軸上での厚み、
である。
【請求項３】
以下の条件式（２）を満足することを特徴とする請求項１記載のテレコンバーター。
−３．０  ＜  ｆ／（Ｂ×Ｄ）  ＜  −１．２              （２）
但し、
Ｂは、前記コンバーターレンズ部の倍率、
Ｄは、前記コンバーターレンズ部の光軸上での厚み、
である。
【請求項４】
以下の条件式（３）を満足することを特徴とする請求項１乃至請求項３の何れか１項に記載のテレコンバーター。
０．０４  ＜  ｄ１２／Ｄ  ＜  ０．３                    （３）
ただし、
ｄ１２は、前記第１レンズ群と前記第２レンズ群の間の空気間隔、
Ｄは、前記コンバーターレンズ部の光軸上での厚み、
である。
【請求項５】
マスターレンズ装置と、
カメラ本体と、
前記マスターレンズ装置と前記カメラ本体との間に装着可能なテレコンバーターと、
を有し、
前記テレコンバーターは、請求項１乃至請求項４の何れか１項に記載のテレコンバーターであり、
前記カメラ本体は、前記マスターレンズ装置と前記テレコンバーターとの合成光学系により形成される像の位置に配置され、且つ、前記合成光学系により形成された像を電気信号に変換する撮像素子を有する
ことを特徴とする撮像システム。
【請求項６】
以下の条件式（７）を満足することを特徴とする請求項５の撮像システム。
０．６  ＜  ｆｂ／ＩＨ  ＜  １．６                      （７）
ただし、
ｆｂは、前記マスターレンズ装置に前記テレコンバーターを取り付けた際の空気中における前記コンバーターレンズ部の射出面から像面までの光軸上での距離、
ＩＨは、前記撮像システムの最大像高、
である。
【請求項７】
マスターレンズ装置と、
カメラ本体と、
前記マスターレンズ装置と前記カメラ本体との間に装着可能なテレコンバーターと、
を有し、
前記カメラ本体は、前記マスターレンズ装置と前記テレコンバーターとの合成光学系により形成される像の位置に配置され、且つ、前記合成光学系により形成された像を電気信号に変換する撮像素子を有し、
前記テレコンバーターは、
前記マスターレンズ装置を装着するマスターレンズ装置側マウント部と、
前記カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、
前記マスターレンズ装置側の第１レンズ群と、
前記カメラ本体側の第２レンズ群と、
からなり、
前記第１レンズ群は、正屈折力を有し、
前記第２レンズ群は、負屈折力を有し、
前記コンバーターレンズ部は、光路に沿って物体側から像側へ順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなり、
以下の条件式（１）及び条件式（７）を満足することを特徴とする撮像システム。
−１．５３  ＜  ｆ１／ｆ  ＜  −０．６６                （１）
０．６  ＜  ｆｂ／ＩＨ  ＜  １．６                      （７）
ただし、
ｆは、前記コンバーターレンズ部の全系の焦点距離、
ｆ１は、前記第１レンズ群の焦点距離、
ｆｂは、前記マスターレンズ装置に前記テレコンバーターを取り付けた際の空気中における前記コンバーターレンズ部の射出面から像面までの光軸上での距離、
ＩＨは、前記撮像システムの最大像高、
である。
【請求項８】
マスターレンズ装置と、
カメラ本体と、
前記マスターレンズ装置と前記カメラ本体との間に装着可能なテレコンバーターと、
を有し、
前記カメラ本体は、前記マスターレンズ装置と前記テレコンバーターとの合成光学系により形成される像の位置に配置され、且つ、前記合成光学系により形成された像を電気信号に変換する撮像素子を有し、
前記テレコンバーターは、
前記マスターレンズ装置を装着するマスターレンズ装置側マウント部と、
前記カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、
前記マスターレンズ装置側の第１レンズ群と、
前記カメラ本体側の第２レンズ群と、
からなり、
前記第１レンズ群は、正屈折力を有し、
前記第２レンズ群は、負屈折力を有し、
以下の条件式（１−１）及び条件式（７−１）を満足することを特徴とする撮像システム。
−１．５３  ＜  ｆ１／ｆ  ＜  −０．７５                （１−１）
０．９  ＜  ｆｂ／ＩＨ  ＜  １．４                      （７−１）
ただし、
ｆは、前記コンバーターレンズ部の全系の焦点距離、
ｆ１は、前記第１レンズ群の焦点距離、
ｆｂは、前記マスターレンズ装置に前記テレコンバーターを取り付けた際の空気中における前記コンバーターレンズ部の射出面から像面までの光軸上での距離、
ＩＨは、前記撮像システムの最大像高、
である。
【請求項９】
マスターレンズ装置と、
カメラ本体と、
前記マスターレンズ装置と前記カメラ本体との間に装着可能なテレコンバーターと、
を有し、
前記カメラ本体は、前記マスターレンズ装置と前記テレコンバーターとの合成光学系により形成される像の位置に配置され、且つ、前記合成光学系により形成された像を電気信号に変換する撮像素子を有し、
前記テレコンバーターは、
前記マスターレンズ装置を装着するマスターレンズ装置側マウント部と、
前記カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、
前記マスターレンズ装置側の第１レンズ群と、
前記カメラ本体側の第２レンズ群と、
からなり、
前記第１レンズ群は、正屈折力を有し、
前記第２レンズ群は、負屈折力を有し、
以下の条件式（１）、条件式（２）及び条件式（７）を満足することを特徴とする撮像システム。
−１．５３  ＜  ｆ１／ｆ  ＜  −０．６６                （１）
−３．０  ＜  ｆ／（Ｂ×Ｄ）  ＜  −１．２              （２）
０．６  ＜  ｆｂ／ＩＨ  ＜  １．６                      （７）
ただし、
ｆは、前記コンバーターレンズ部の全系の焦点距離、
ｆ１は、前記第１レンズ群の焦点距離、
Ｂは、前記コンバーターレンズ部の倍率、
Ｄは、前記コンバーターレンズ部の光軸上での厚み、
ｆｂは、前記マスターレンズ装置に前記テレコンバーターを取り付けた際の空気中における前記コンバーターレンズ部の射出面から像面までの光軸上での距離、
ＩＨは、前記撮像システムの最大像高、
である。
【請求項１０】
以下の条件式（２）を満足することを特徴とする請求項７乃至請求項９の何れか１項に記載の撮像システム。
−３．０  ＜  ｆ／（Ｂ×Ｄ）  ＜  −１．２              （２）
但し、
Ｂは、前記コンバーターレンズ部の倍率、
Ｄは、前記コンバーターレンズ部の光軸上での厚み、
である。
【請求項１１】
以下の条件式（３）を満足することを特徴とする請求項７乃至請求項１０の何れか１項に記載の撮像システム。
０．０４  ＜  ｄ１２／Ｄ  ＜  ０．３                    （３）
ただし、
ｄ１２は、前記第１レンズ群と前記第２レンズ群の間の空気間隔、
Ｄは、前記コンバーターレンズ部の光軸上での厚み、
である。
【請求項１２】
前記コンバーターレンズ部は、光路に沿って物体側から像側へ順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなる
ことを特徴とする請求項７乃至請求項１１の何れか１項に記載の撮像システム。
【請求項１３】
以下の条件式（４）及び条件式（５）を満足することを特徴とする請求項１２に記載の撮像システム。
１５  ＜  νｄ１  ＜  ３５                                  （４）
５０  ＜  νｄ５  ＜  １００                                （５）
ただし、
νｄ１は、前記第１正レンズのアッベ数、
νｄ５は、第３正レンズのアッベ数、
である。
【発明の詳細な説明】
【技術分野】
【０００１】
本発明は、マスターレンズ装置に装着することでマスターレンズ装置の焦点距離よりも長い焦点距離のレンズ系を得るためのテレコンバーター及びそれを備えた撮影システムに関するものである。
【背景技術】
【０００２】
従来、マスターレンズ装置のマウント部とカメラ本体のマウント部の各々に対応するマウント部を持ち、マスターレンズ装置とカメラ本体との間にそれらのマウント部を介してコンバーターレンズ部を挟みこみ、レンズ系の全系の焦点距離を伸長するリアテレコンバーターが知られている。
【０００３】
このようなリアテレコンバーターは、レンズ交換可能な一眼レフカメラユーザー、特に、望遠撮影を行うユーザーにとっては、簡単に焦点距離を長くできるので便利であり好まれて使用されている。このようなリアテレコンバーターレンズは、例えば、特許文献１〜特許文献６に開示されている。
【先行技術文献】
【特許文献】
【０００４】
【特許文献１】特開２００４−２２６６４８号公報
【特許文献２】特開２００５−０４３７８８号公報
【特許文献３】特開２００５−１０７２６１号公報
【特許文献４】特開２００９−０８０１７６号公報
【特許文献５】特開２０１０−１９１２１１号公報
【特許文献６】特開２０１１−０８１１１１号公報
【発明の概要】
【発明が解決しようとする課題】
【０００５】
しかしながら、近年では、レンズ交換可能なカメラシステムにおいて、クイックリターンミラーを廃止して、フランジバックを短く成し、小型化や薄型化を実現したカメラシステムが人気を博している。しかしながら、特許文献１〜６に記載のテレコンバーターは、従来の一眼レフレックスカメラシステム用途のテレコンバーターであり、長いフランジバックを前提としている。そのため、前記のような新しいカメラシステムには対応していない。また、特許文献１〜６のいずれのテレコンバーターもレンズ枚数が多く、コスト高の構成となっている。
【０００６】
本発明は、上述した点に鑑みてなされたものであり、第１の側面における本発明は、フランジバックを短くした新しいカメラシステムにおいても、簡単にマスターレンズの焦点距離を長くすることができるテレコンバーターを提供することを目的とするものである。第２の側面における本発明は、コストの低減に有利なテレコンバーターを提供することを目的とするものである。更には、そのようなテレコンバーターを備えた撮像システムを提供することを目的とするものである。
【課題を解決するための手段】
【０００７】
本発明にかかるテレコンバーターは以下の内容を含むものである。
【０００８】
本発明に係る一実施形態のテレコンバーターは、
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、光軸上にて最も長い空気間隔を挟んで、前記マスターレンズ装置側の第１レンズ群と、前記カメラ本体側の第２レンズ群と、からなり、
前記第１レンズ群は、正屈折力を有し、
前記第２レンズ群は、負屈折力を有し、
以下の条件式（１）を満足することが好ましい。
−１．５３  ＜  ｆ１／ｆ  ＜  −０．６６                    （１）
ただし、
ｆは、前記コンバーターレンズ部の全系の焦点距離、
ｆ１は、前記第１レンズ群の焦点距離、
である。
【０００９】
本発明のテレコンバーターに用いているコンバーターレンズ部は、光軸上にて最も長い空気間隔を挟んで、第１レンズ群と第２レンズ群にて構成されている。さらに、第１レンズ群は正屈折力、第２レンズ群は負屈折力のパワー配分とし、コンバーターレンズ部自体の構成を、正屈折力と負屈折力のテレフォトタイプのようにしている。このように配置することで、主点位置をコンバーターレンズ部の中心から遠ざけることが可能となる。マスターレンズ装置とカメラ本体間の小さなスペースにテレコンバーターを配置しながらも、コンバーターレンズ部の倍率を確保することが可能となる。
【００１０】
条件式（１）は、第１レンズ群の好ましい焦点距離を特定するものである。
【００１１】
条件式（１）の上限を上回らないようにして第１レンズ群の正屈折力を適度に抑えることで、第２レンズ群の負屈折力も低減でき、収差補正を行い易くなる。また、レンズ枚数を低減することにより、テレコンバーターの小型化やコスト低減等に有利となる。
【００１２】
条件式（１）の下限を下回らないようして第１レンズ群の正屈折力を十分に確保することで、テレフォトタイプの効果を高められ、フランジバックの短いカメラ本体に用いることに一層有利となる。また、撮影システム全体の小型化に有利となる。
【００１３】
また、本発明に係る一実施形態のテレコンバーターは、
以下の条件式（２）を満足することが好ましい。
−３．０  ＜  ｆ／（Ｂ×Ｄ）  ＜  −１．２                  （２）
但し、
Ｂは、前記コンバーターレンズ部の倍率、
Ｄは、前記コンバーターレンズ部の光軸上での厚み、
である。
【００１４】
短いフランジバックのカメラ本体に対応するため、コンバーターレンズ部の全系の負屈折力を強くすることが好ましい。その一方、レンズ枚数の増加を抑え倍率を確保するには、限られたスペースにて十分な収差補正を行えるようにコンバーターレンズ部の負屈折力を適度に制限することが好ましい。条件式（２）は、コンバーターレンズ部の好ましい全系焦点距離を定めるものであり、コンバーターレンズ部の倍率および厚みに対し、条件式（２）を満たすことが好ましい。
【００１５】
条件式（２）の上限を上回らないように負の屈折力を適度に弱めることで、コンバーター装着時の収差の低減に有利となる。
【００１６】
条件式（２）の下限を下回らないように負の屈折力を適度に確保することで、所望の倍率確保を行い易くなる。
【００１７】
また、本発明に係る一実施形態のテレコンバーターは、
以下の条件式（３）を満足することが好ましい。
０．０４  ＜  ｄ１２／Ｄ  ＜  ０．３                        （３）
ただし、
ｄ１２は、前記第１レンズ群と前記第２レンズ群の間の空気間隔、
Ｄは、前記コンバーターレンズ部の光軸上での厚み、
である。
【００１８】
第１レンズ群と第２レンズ群を分けている両レンズ群の間の空気間隔は、その間隔を確保することで像面湾曲収差の補正、特にサジタル方向の像面湾曲収差を補正することに有効となる。このとき、条件式（３）を満たすことが好ましい。
【００１９】
条件式（３）の上限を上回らないようにすることで、全長の増大を抑えられ小型化に有利となる。
【００２０】
条件式（３）の下限を下回らないようにして、収差補正効果を確保することが好ましい。
【００２１】
また、前記コンバーターレンズ部は、
光路に沿って物体側から像側へ順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなる
ことが好ましい。
【００２２】
少ないレンズ枚数にて、このように対称的な配置とすることで、諸収差の低減に有利となる。特に、テレコンバーターの場合、第２レンズ群は強い負の屈折力を持たせることが好ましいので、２枚の負レンズと２枚の正レンズにて負の屈折力の確保と収差の低減を行うことが好ましい。
【００２３】
なお、後述の実施例にもあるように、第１負レンズと第２正レンズおよび第２負レンズの３枚は、互いに接合される構成とすれば、相互のレンズの偏心の影響を低減できる。一方の何れかの負レンズと第２正レンズのみを接合にしても良い。
【００２４】
また、第３正レンズは独立したレンズであることがコマ収差補正のために好ましい。特に、第３正レンズは、両凸形状となすことでコマ収差の補正が有利となる。
【００２５】
また、第２レンズ群中の２つの負レンズを両凹レンズとし、第２レンズ群中の２つの正レンズは両凸レンズであることが好ましい。第２レンズ群の負屈折力の確保と諸収差を正レンズでキャンセルさせる機能の確保に一層有利となる。
【００２６】
また、本発明に係る一実施形態のテレコンバーターは、
以下の条件式（４）及び条件式（５）を満足することが好ましい。
１５  ＜  νｄ１  ＜  ３５                                  （４）
５０  ＜  νｄ５  ＜  １００                                （５）
ただし、
νｄ１は、前記第１正レンズのアッベ数、
νｄ５は、第３正レンズのアッベ数、
である。
【００２７】
条件式（４）、（５）のいずれも、色収差を良好に補正するための好ましい条件式である。
【００２８】
条件式（４）の上限を上回らないようにして第１レンズの分散を高めることで、負屈折力の第２レンズ群で発生しやすい色収差のキャンセルに有利となる。加えて、第１レンズの屈折率を高くしやすくしてテレフォト配置の効果および球面収差の補正効果を高めやすくすることに有利となる。
【００２９】
条件式（４）の下限を下回らないようにして、第１正レンズの材料コストを抑えることが好ましい。
【００３０】
第１正レンズに条件式（４）を満足させる場合、第３正レンズでは条件式（５）の下限を下回らないようにして、第３正レンズでの倍率色収差への影響を低減しやすくすることが好ましい。
【００３１】
条件式（５）の上限を上回らないようにして、第３正レンズの材料コストを抑えることが好ましい。
【００３２】
また、本発明に係る一実施形態のテレコンバーターは、
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、以下の条件式（６）を満足することが好ましい。
１．１  ＜  Ｄ／ｆｂ  ＜  ３．０                            （６）
ただし、
Ｄは、前記コンバーターレンズ部の光軸上での厚み、
ｆｂは、前記マスターレンズ装置に前記テレコンバーターを取り付けた際の空気中における前記コンバーターレンズ部の射出面から像面までの光軸上での距離、
である。
【００３３】
カメラ本体のフランジバックが短い撮像システムの場合、狭いスペースにテレコンバーターを配置することになる。その上で、所望の倍率を確保し、かつ収差補正も十分に行うためには、上述の条件式（６）を満たすことが好ましい。
【００３４】
条件式（６）の上限を上回らないようにすることで、テレコンバーターを小型化するとともに、適度な倍率を確保しやすくなり好ましい。
【００３５】
条件式（６）の下限を下回らないようにして、レンズを配置するスペースを確保し、収差補正性能を確保しやすくすることが好ましい。
【００３６】
また、本発明に係る一実施形態のテレコンバーターは、
マスターレンズ装置を装着するマスターレンズ装置側マウント部と、
カメラ本体を装着するカメラ本体側マウント部と、
前記マスターレンズ装置の装着により前記マスターレンズ装置の焦点距離よりも長い焦点距離のレンズ系を得るために全体として負の屈折力をもつコンバーターレンズ部と、
を有し、
前記コンバーターレンズ部は、コンバーターレンズ部内における光軸上にて最も長い空気間隔を挟んで、前記マスターレンズ装置側の第１レンズ群と、前記カメラ本体側の第２レンズ群からなり、
前記第１レンズ群は、正屈折力を有し、
前記第２レンズ群は、負屈折力を有し、
前記コンバーターレンズ部は、光路に沿って順に、第１正レンズ、第１負レンズ、第２正レンズ、第２負レンズ、第３正レンズの５枚のレンズからなり、
前記第１レンズ群は、前記第１正レンズの１枚のレンズからなり、
前記第２レンズ群は、前記第１負レンズ、前記第２正レンズ、前記第２負レンズ、前記第３正レンズの４枚のレンズからなる
ことが好ましい。
【００３７】
このような構成により、第２の側面における本発明の目的に対応する。少ないレンズ枚数にて、このように対称的な配置とすることで、諸収差の低減に有利となる。特に、テレコンバーターの場合、第２レンズ群は強い負の屈折力を持たせることが好ましいので、２枚の負レンズと２枚の正レンズにて負の屈折力の確保と収差の低減を行うことが好ましい。
【００３８】
また、本発明に係る一実施形態の撮像システムは、
マスターレンズ装置と、
カメラ本体と、
前記マスターレンズ装置と前記カメラ本体との間に装着可能なテレコンバーターと、
を有し、
前記テレコンバーターは、本発明に係る一実施形態のテレコンバーターであり、
前記カメラ本体は、前記マスターレンズ装置と前記テレコンバーターとの合成光学系により形成される像の位置に配置され、且つ、前記合成光学系により形成された像を電気信号に変換する撮像素子を有する
ことが好ましい。
【００３９】
また、本発明に係る一実施形態の撮像システムは、
以下の条件式（７）を満足することが好ましい。
０．６  ＜  ｆｂ／ＩＨ  ＜  １．６                          （７）
ただし、
ｆｂは、前記マスターレンズ装置に前記テレコンバーターを取り付けた際の空気中における前記コンバーターレンズ部の射出面から像面までの光軸上での距離、
ＩＨは、前記撮像システムの最大像高、
である。
【００４０】
テレコンバーターをカメラ本体に取り付けた場合にも、フランジバック長に対応して、適切なＢＦの値は撮像面の大きさにも依存する。特に、撮像素子に対する軸外光束の入射角度を適切に設定することが好ましい。
【００４１】
条件式（７）の上限を上回らないようにして、コンバーターレンズ部のレンズが配置されるスペースを確保することで、撮像システムの全長を短くしつつもテレフォト配置の効果の確保に有利となる。
【００４２】
条件式（７）の下限を下回らないようにすることで、リアコンバーターの射出面の径を抑えつつ撮像面への入射角度を小さくすること（射出瞳を撮像面から遠ざけること）に有利となる。
【００４３】
上述の各発明は相互に同時に満足することがより好ましい。
【００４４】
また、各条件式について、以下のように、下限値、上限値を限定することで、その効果をより確実にでき好ましい。
【００４５】
条件式（１）について
下限値を−１．５１とすることがより好ましい。
上限値を−０．７５、更には−０．８０とすることが好ましい。
【００４６】
条件式（２）について
下限値を−２．８とすることがより好ましい。
上限値を−１．７０とすることがより好ましい。
【００４７】
条件式（３）について
下限値を０．１０とすることがより好ましい。
上限値を０．２５とすることがより好ましい。
【００４８】
条件式（４）について
下限値を１８とすることがより好ましい。
上限値を３２とすることがより好ましい。
【００４９】
条件式（５）について
下限値を６０とすることがより好ましい。
上限値を８５とすることがより好ましい。
【００５０】
条件式（６）について
下限値を１．３とすることがより好ましい。
上限値を２．５とすることがより好ましい。
【００５１】
条件式（７）について
下限値を０．９とすることがより好ましい。
上限値を１．４とすることがより好ましい。
【発明の効果】
【００５２】
本発明によれば、フランジバックを短くした新しいカメラシステムにおいても、簡単にマスターレンズの焦点距離を長くすることができるテレコンバーターを提供することができる。また、コストの低減に有利なテレコンバーターを提供することができる。さらに、そのようなテレコンバーターを備えた撮像システムを提供することができる。
【図面の簡単な説明】
【００５３】
【図１】マスターレンズを展開して光軸に沿ってとった断面図である。
【図２】実施例１のコンバーターレンズを展開して光軸に沿ってとった断面図である。
【図３】実施例２のコンバーターレンズを展開して光軸に沿ってとった断面図である。
【図４】実施例３のコンバーターレンズを展開して光軸に沿ってとった断面図である。
【図５】実施例４のコンバーターレンズを展開して光軸に沿ってとった断面図である。
【図６】実施例５のコンバーターレンズを展開して光軸に沿ってとった断面図である。
【図７】マスターレンズの収差図である。
【図８】実施例１のコンバーターレンズの収差図である。
【図９】実施例２のコンバーターレンズの収差図である。
【図１０】実施例３のコンバーターレンズの収差図である。
【図１１】実施例４のコンバーターレンズの収差図である。
【図１２】実施例５のコンバーターレンズの収差図である。
【図１３】一実施形態のコンバーターレンズとマスターレンズを組み合わせて撮影レンズに用いた撮像システムの断面図である。
【発明を実施するための形態】
【００５４】
本実施形態のテレコンバーターについて図を用いて説明する。
【００５５】
まず、本実施形態のテレコンバーターに用いるマスターレンズＭＳＬについて説明する。
【００５６】
図１は、マスターレンズＭＳＬの断面図である。図１において、（ａ）は広角端、（ｂ）は望遠端にそれぞれ対応する。
【００５７】
マスターレンズＭＳＬは、焦点距離が約４０〜１５０ｍｍで変化し、Ｆｎｏが約２．８の望遠ズームレンズである。
【００５８】
マスターレンズＭＳＬは、図１に示すように物体側から像側へ順に、正屈折力の第１レンズ群Ｇ1、負屈折力の第２レンズ群Ｇ2、正屈折力の第３レンズ群Ｇ3、負屈折力の第４レンズ群Ｇ4、正屈折力の第５レンズ群Ｇ5にて構成されている。図中、Ｓは明るさ絞り、ＭIは像側マウント面、Ｃはカバーガラス、Ｉは像面を示している。
【００５９】
第１レンズ群Ｇ1は、物体側から像側へ順に、物体側に凸面を向けた負メニスカスレンズＬ11と両凸正レンズＬ12の接合レンズＳＵ11と、物体側に凸面を向けた正メニスカスレンズＬ13と、からなる。
【００６０】
第２レンズ群Ｇ2は、物体側から像側へ順に、物体側に凸面を向けた負メニスカスレンズＬ21と、両凹負レンズＬ22と物体側に凸面を向けた正メニスカスレンズＬ23の接合レンズＳＵ21と、像側に凸面を向けた負メニスカスレンズＬ24と、からなる。
【００６１】
第３レンズ群Ｇ3は、物体側から像側へ順に、第３ａレンズ群Ｇ3aと、第３ｂレンズ群Ｇ3bと、からなる。第３ａレンズ群Ｇ3aは、物体側から像側へ順に、両凸正レンズＬ3a1と、両凸正レンズＬ3a2と、両凹負レンズＬ3a3と、からなる。また、第３ｂレンズ群Ｇ3bは、物体側から像側へ順に、物体側に凸面を向けた正メニスカスレンズＬ3b1と、物体側に凸面を向けた正メニスカスレンズＬ3b2と、物体側に凸面を向けた負メニスカスレンズＬ3b3と、両凸正レンズＬ3b4と、からなる。
【００６２】
第３レンズ群Ｇ3の第３ａレンズ群Ｇ3aと第３ｂレンズ群Ｇ3bの間には、明るさ絞りＳが配置される。
【００６３】
第４レンズ群Ｇ4は、１枚の両凹負レンズＬ41からなる。
【００６４】
第５レンズ群Ｇ5は、両凹負レンズＬ51と、両凸正レンズＬ52と、からなる。
【００６５】
次に、マスターレンズＭの広角端から望遠端へと変倍する際の各レンズ群それぞれの動きについて説明する。
【００６６】
ズーム動作において、第１レンズ群Ｇ1、第２レンズ群Ｇ2、第３レンズ群Ｇ3、第４レンズ群Ｇ4、及び第５レンズ群Ｇ5は、それぞれ独立して移動する。
【００６７】
第１レンズ群Ｇ1は、広角端から望遠端まで、第２レンズ群Ｇ2との間隔を広げ、物体側にのみ移動する。第１レンズ群Ｇ1は、望遠端では広角端よりも物体側に位置する。
【００６８】
第２レンズ群Ｇ2は、広角端から望遠端まで、第１レンズ群Ｇ1との間隔を広げ、第３レンズ群Ｇ3との間隔を狭めながら物体側へ移動する。第２レンズ群Ｇ2は、望遠端では広角端よりも物体側に位置する。
【００６９】
第３レンズ群Ｇ3は、明るさ絞りＳと共に、広角端から望遠端まで、第２レンズ群Ｇ2との間隔を狭め、第４レンズ群Ｇ4との間隔を広げながら物体側へ移動する。第３レンズ群Ｇ3は、望遠端では広角端よりも物体側に位置する。
【００７０】
第４レンズ群Ｇ4は、広角端から望遠端まで、第３レンズ群Ｇ3との間隔を広げ、第５レンズ群Ｇ5との間隔を広げながら物体側へ移動する。望遠端では広角端よりも物体側に位置する。
【００７１】
第５レンズ群Ｇ5は、広角端から望遠端まで、第４レンズ群Ｇ4との間隔を広げ、像側へ移動する。第５レンズ群Ｇ5は、望遠端では広角端よりも像側に位置する。
【００７２】
非球面は、第３ｂレンズ群Ｇ3bの物体側の正メニスカスレンズＬ3b1の両面ｒ20，ｒ21及び第４レンズ群Ｇ4の両凹負レンズＬ41の両面ｒ28，ｒ29の４面である。
【００７３】
次に、本実施形態の実施例１〜実施例５のコンバーターレンズＴＣＬについて図を用いて説明する。図２〜図６は、本発明の実施例１〜実施例５のコンバーターレンズＴＣＬを展開して光軸に沿ってとった断面図である。各図において（ａ）は広角端（ＷＥ）、（ｂ）は望遠端（ＴＥ）を示している。
【００７４】
図２は、実施例１のコンバーターレンズＴＣＬの断面図である。
【００７５】
実施例１のコンバーターレンズＴＣＬは、図２に示すように物体側から像側へ順に、正屈折力の第１レンズ群Ｇ1、負屈折力の第２レンズ群Ｇ2にて構成されている。図中、ＭOは物体側マウント面、ＭIは像側マウント面、Ｃはカバーガラス、Ｉは像面を示している。
【００７６】
第１レンズ群Ｇ1は、物体側から像側へ順に、第１正レンズとしての１枚の像側へ凸面を向けた正メニスカスレンズＣＬ11からなる。
【００７７】
第２レンズ群Ｇ2は、物体側から像側へ順に、第１負レンズとしての両凹負レンズＣＬ21と、第２正レンズとしての両凸正レンズＣＬ22と第２負レンズとしての両凹負レンズＣＬ23の接合レンズＳＵ21と、第３正レンズとしての両凸正レンズＣＬ24と、からなる。
【００７８】
図３は、実施例２のコンバーターレンズＴＣＬの断面図である。
【００７９】
実施例２のコンバーターレンズＴＣＬは、図３に示すように物体側から像側へ順に、正屈折力の第１レンズ群Ｇ1、負屈折力の第２レンズ群Ｇ2にて構成されている。図中、ＭOは物体側マウント面、ＭIは像側マウント面、Ｃはカバーガラス、Ｉは像面を示している。
【００８０】
第１レンズ群Ｇ1は、物体側から像側へ順に、第１正レンズとしての１枚の両凸正レンズＣＬ11からなる。
【００８１】
第２レンズ群Ｇ2は、物体側から像側へ順に、第１負レンズとしての両凹フレンズＣＬ21と、第２正レンズとしての両凸正レンズＣＬ22と第２負レンズとしての両凹負レンズＣＬ23の接合レンズＳＵ21と、第３正レンズとしての両凸正レンズＣＬ24と、からなる。
【００８２】
図４は、実施例３のコンバーターレンズＴＣＬの断面図である。
【００８３】
実施例３のコンバーターレンズＴＣＬは、図４に示すように物体側から像側へ順に、正屈折力の第１レンズ群Ｇ1、負屈折力の第２レンズ群Ｇ2にて構成されている。図中、ＭOは物体側マウント面、ＭIは像側マウント面、Ｃはカバーガラス、Ｉは像面を示している。
【００８４】
第１レンズ群Ｇ1は、物体側から像側へ順に、第１正レンズとしての１枚の像側へ凸面を向けた正メニスカスレンズＣＬ11からなる。
【００８５】
第２レンズ群Ｇ2は、物体側から像側へ順に、第１負レンズとしての両凹負レンズＣＬ21と第２正レンズとしての両凸正レンズＣＬ22と第２負レンズとしての両凹負レンズＣＬ23の接合レンズＳＵ21と、第３正レンズとしての両凸正レンズＣＬ24と、からなる。
【００８６】
図５は、実施例４のコンバーターレンズＴＣＬの断面図である。
【００８７】
実施例４のコンバーターレンズＴＣＬは、図５に示すように物体側から像側へ順に、正屈折力の第１レンズ群Ｇ1、負屈折力の第２レンズ群Ｇ2にて構成されている。図中、ＭOは物体側マウント面、ＭIは像側マウント面、Ｃはカバーガラス、Ｉは像面を示している。
【００８８】
第１レンズ群Ｇ1は、物体側から像側へ順に、第１正レンズとしての１枚の像側へ凸面を向けた正メニスカスレンズＣＬ11からなる。
【００８９】
第２レンズ群Ｇ2は、物体側から像側へ順に、第１負レンズとしての両凹負レンズＣＬ21と、第２正レンズとしての両凸正レンズＣＬ22と、第２負レンズとしての両凹負レンズＣＬ23と、第３正レンズとしての両凸正レンズＣＬ24と、からなる。
【００９０】
図６は、実施例５のコンバーターレンズＴＣＬの断面図である。
【００９１】
実施例５のコンバーターレンズＴＣＬは、図６に示すように物体側から像側へ順に、正屈折力の第１レンズ群Ｇ1、負屈折力の第２レンズ群Ｇ2にて構成されている。図中、ＭOは物体側マウント面、ＭIは像側マウント面、Ｃはカバーガラス、Ｉは像面を示している。
【００９２】
第１レンズ群Ｇ1は、物体側から像側へ順に、第１正レンズとしての１枚の像側へ凸面を向けた正メニスカスレンズＣＬ11からなる。
【００９３】
第２レンズ群Ｇ2は、物体側から像側へ順に、第１負レンズとしての両凹負レンズＣＬ21と、第２正レンズとしての両凸正レンズＣＬ22と第２負レンズとしての両凹負レンズＣＬ23の接合レンズＳＵ21と、第３正レンズとしての両凸正レンズＣＬ24と、からなる。
【００９４】
以下にマスターレンズＭＳＬ及びコンバーターレンズＴＣＬの各種数値データ（面データ等）を示す。
【００９５】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。
【００９６】
非球面データには、面データ中、非球面形状としたレンズ面に関するデータが示されている。非球面形状は、ｚを光の進行方向を正とした光軸とし、ｙを光軸と直交する方向にとると下記の式にて表される。
ｚ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10…
【００９７】
ただし、ｒは近軸曲率半径、Ｋは円錐係数、Ａ4、Ａ6、Ａ8はそれぞれ４次、６次、８次の非球面係数である。なお、記号“Ｅ”は、それに続く数値が１０を底にもつ、べき指数であることを示している。例えば「１．０Ｅ−５」は「１．０×１０-5」であることを意味している。
【００９８】
各種データには、焦点距離、Ｆナンバー（ＦＮＯ）、画角２ω（°）、可変する面間隔ｄ、バックフォーカスＢＦ（in air）、全長（in air）、及び像高が示されている。単位は、Ｆナンバー及び画角を除き、いずれもミリメートル（ｍｍ）である。なお、ＢＦは、レンズの最終面から像面までの空気換算での距離である。
【００９９】
また、ＷＥは広角端、ＴＥは望遠端を示している。
【０１００】
各群焦点距離データには、各レンズ群における焦点距離ｆ１〜ｆ５が示されている。単位はいずれもミリメートル（ｍｍ）である。
【０１０１】
なお、数値実施例における各種データは、それぞれの実施例１〜５のテレコンバーターレンズＴＣＬにマスターレンズＭＳＬを持つマスターレンズ装置を装着し、像面位置に撮像面が配置されるカメラ本体からなる撮像システムを想定したデータである。像面直前の平行平板は、カメラ本体が有しているフィルター類（ローパスフィルター、波長選択フィルター、防塵フィルターなど）や撮像素子のカバーガラスを想定したものであり、光学的に等価な平行平板に置き換えたものである。
【０１０２】
マスターレンズ
面データ
面番号                  ｒ            ｄ            ｎｄ      νｄ
1                    105.4432       2.400         1.85026    32.27
2                     73.5728       8.379         1.49700    81.54
3                   -383.7411       0.150
4                     94.5553       4.286         1.60300    65.44
5                    289.6284        D1(可変)
6                     93.6811       2.000         1.83481    42.71
7                     27.3524       5.724
8                    -61.7968       1.800         1.48749    70.23
9                     30.7192       5.169         1.84666    23.78
10                    738.2770       3.915
11                    -38.1621       2.000         1.76200    40.10
12                   -154.2096        D2(可変)
13                     40.1727       6.046         1.80400    46.57
14                   -257.1582       0.150
15                     26.7593       8.420         1.43875    94.93
16                   -113.3976       0.569
17                   -102.0000       1.800         1.90366    31.32
18                     33.8270       4.447
19(絞り)                ∞           1.500
20(非球面)             53.0521       2.282         1.74320    49.34
21(非球面)            113.0112       0.150
22                     28.9682       4.305         1.64000    60.08
23                    149.0277       0.150
24                     44.8443       1.600         1.90366    31.32
25                     20.3711       5.252
26                     27.3174       6.191         1.72916    54.68
27                    -76.1282        D3(可変)
28(非球面)          -2331.1195       1.200         1.80610    40.88
29(非球面)             22.9849        D4(可変)
30                   -139.5760       1.600         1.51633    64.14
31                     45.7459       2.294
32                     56.5885       4.072         1.90366    31.32
33                    -75.5666        D5(可変)
34(像側マウント面)      ∞          15.200
35                      ∞           4.000         1.51633    64.14
36                      ∞           0.800
像面                    ∞
非球面係数
第20面
K=0.000,A4=-1.1681E-05,A6=-6.9531E-09,A8=7.8500E-12
第21面
K=0.000,A4=5.8382E-08,A6=-1.6466E-10,A8=-7.4745E-13
第28面
K=0.000,A4=1.7112E-06,A6=-5.3162E-09
第29面
K=0.000,A4=-1.6310E-06,A6=-1.7956E-08
各種データ
ＷＥ           ＴＥ    
焦点距離                           40.80         147.00 
ＦＮＯ．                            2.88           2.88 
画角２ω（°）                     29.79           8.28 
ＢＦ (in air)                      32.137         28.750    
全長 (in air)                     151.882        195.839    
像高                               10.82          10.82
D5                                  1.5000        41.2615   
D11                                25.4170         1.5000 
D25                                 1.5000         3.5170 
D29                                 3.4776        32.9593 
D31                                13.4987        10.1120 
各群焦点距離
ｆ１       113.667
ｆ２       -27.169
ｆ３        32.042
ｆ４       -28.229
ｆ５        71.790
【０１０３】
コンバーターレンズ
数値実施例１
面データ
面番号                  ｒ            ｄ            ｎｄ      νｄ
34(物体側マウント面)    ∞          -5.429
35                    -93.2149       2.348         1.92286    20.88
36                    -40.5105       4.384
37                    -34.0886       1.300         1.83400    37.16
38                     27.6880       0.239
39                     25.1698       6.557         1.74077    27.79
40                    -22.0429       1.300         2.00100    29.13
41                     47.7726       1.955
42                     25.3471       5.048         1.49700    81.54
43                    -81.1748      -4.438
44(像側マウント面)      ∞          15.200
45                      ∞           4.000         1.51633    64.14
46                      ∞           0.800
像面                    ∞
各種データ
ＷＥ           ＴＥ    
焦点距離                           57.06         205.60 
ＦＮＯ．                            4.03           4.03 
画角２ω（°）                     21.85           6.07 
ＢＦ (in air)                      14.200         14.200    
全長 (in air)                     165.146        209.103    
像高                               10.82          10.82
倍率                                1.40           1.40
各群焦点距離
ｆ１        76.012
ｆ２       -34.881
【０１０４】
コンバーターレンズ
数値実施例２
面データ
面番号                  ｒ            ｄ            ｎｄ      νｄ
34(物体側マウント面)    ∞          -2.816
35                    210.9376       3.945         1.92286    20.88 
36                    -41.1544       1.816
37                    -34.4483       1.300         2.00100    29.13 
38                     23.8340       0.219
39                     21.7769       6.518         1.76182    26.52 
40                    -21.5952       1.300         2.00100    29.13 
41                     34.5454       0.699
42                     25.1598       3.980         1.52249    59.84 
43                   -148.9062      -5.511
44(像側マウント面)      ∞          15.200
45                      ∞           4.000         1.51633    64.14
46                      ∞           0.800
像面                    ∞
各種データ
ＷＥ           ＴＥ    
焦点距離                           55.98         201.70 
ＦＮＯ．                            3.95           3.95 
画角２ω（°）                     21.86           6.07 
ＢＦ (in air)                      13.127         13.127    
全長 (in air)                     163.332        207.289    
像高                               10.82          10.82
倍率                                1.40           1.40
各群焦点距離
ｆ１        37.597
ｆ２       -19.132
【０１０５】
コンバーターレンズ
数値実施例３
面データ
面番号                  ｒ            ｄ            ｎｄ      νｄ
34(物体側マウント面)    ∞          -4.077
35                   -116.5752       2.326         1.92286    20.88
36                    -43.6023       3.683
37                    -41.8780       1.300         1.83400    37.16
38                     17.8581       7.464         1.72825    28.46
39                    -19.0163       1.300         2.00100    29.13
40                     50.4433       0.150
41                     23.8452       4.405         1.49700    81.54
42                   -121.9352      -4.344
43(像側マウント面)      ∞          15.200
44                      ∞           4.000         1.51633    64.14
45                      ∞           0.800
像面                    ∞
各種データ
ＷＥ           ＴＥ    
焦点距離                           57.06         205.60 
ＦＮＯ．                            4.03           4.03 
画角２ω（°）                     21.85           6.07 
ＢＦ (in air)                      14.200         14.200    
全長 (in air)                     165.146        209.103    
像高                               10.82          10.82
倍率                                1.40           1.40
各群焦点距離
ｆ１        74.340
ｆ２       -28.179
【０１０６】
コンバーターレンズ
数値実施例４
面データ
面番号                  ｒ            ｄ            ｎｄ      νｄ
34(物体側マウント面)    ∞          -4.077
35                   -222.2349       2.459         1.92286    18.90
36                    -49.7456       5.247
37                    -25.9802       1.448         1.90366    31.32
38                     31.0147       0.654
39                     35.7226       8.195         1.69895    30.13
40                    -21.6871       0.150
41                    -30.8000       4.593         1.90366    31.32
42                     56.5450       0.150
43                     24.0688       5.284         1.48749    70.23
44                   -105.5726      -4.439
45(像側マウント面)      ∞          15.200
46                      ∞           4.000         1.51633    64.14
47                      ∞           0.800
像面                    ∞
各種データ
ＷＥ           ＴＥ    
焦点距離                           57.06         205.60 
ＦＮＯ．                            4.03           4.03 
画角２ω（°）                     21.85           6.07 
ＢＦ (in air)                      14.200         14.200    
全長 (in air)                     165.146        209.103    
像高                               10.82          10.82
倍率                                1.40           1.40
各群焦点距離
ｆ１        68.978
ｆ２       -36.955
【０１０７】
コンバーターレンズ
数値実施例５
面データ
面番号                  ｒ            ｄ            ｎｄ      νｄ
34(物体側マウント面)    ∞          -4.396
35                   -106.5559       2.347         1.69895    30.13
36                    -39.5757       4.471
37                    -29.8091       1.300         1.72916    54.68
38                     21.9609       0.356
39                     21.6356       6.500         1.69895    30.13
40                    -23.6427       1.300         2.00100    29.13
41                     42.8083       0.708
42                     37.7055       5.164         1.51633    64.14
43                    -26.8409      -5.000
44(像側マウント面)      ∞          15.200
45                      ∞           4.000         1.51633    64.14
46                      ∞           0.800
像面                    ∞
各種データ
ＷＥ           ＴＥ    
焦点距離                           55.95         201.58 
ＦＮＯ．                            3.95           3.95 
画角２ω（°）                     21.75           6.04 
ＢＦ (in air)                      13.638         13.638    
全長 (in air)                     164.632        208.589    
像高                               10.82          10.82
倍率                                1.37           1.37
各群焦点距離
ｆ１        88.797
ｆ２       -42.891
【０１０８】
図７〜図１２は、マスターレンズＭＳＬ及びコンバーターレンズＴＣＬの実施例１〜実施例５における（ａ）広角端（ＷＥ）、（ｂ）望遠端（ＴＥ）での諸収差図である。
【０１０９】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：長破線）、６５６．３ｎｍ（Ｃ線：短破線）の各波長について示されている。また、倍率色収差ＣＣは、ｄ線を基準としたときの４３５．８ｎｍ（ｇ線：長破線）、６５６．３ｎｍ（Ｃ線：短破線）の各波長について示されている。また、非点収差ＤＴは、実線がサジタル像面、破線がメリジオナル像面のものを示している。なお、ＦＮＯはＦナンバーを示す。
【０１１０】
上記実施例について、各条件式（１）〜（７）の値を下記に示しておく。
【０１１１】
実施例１       実施例２       実施例３
条件式（１）              -1.136         -0.811         -1.503
条件式（２）              -1.086         -1.708         -1.715
条件式（３）               0.190          0.092          0.179
条件式（４）              20.88          20.88          20.88
条件式（５）              81.54          59.84          81.54 
条件式（６）               1.629          1.507          1.443
条件式（７）               1.312          1.213          1.321
【０１１２】
実施例４       実施例５
条件式（１）              -0.852         -1.086 
条件式（２）              -2.054         -2.693 
条件式（３）               0.186          0.202 
条件式（４）              18.90          30.13
条件式（５）              70.23          64.14
条件式（６）               1.985          1.624 
条件式（７）               1.312          1.260 
【０１１３】
本実施形態のマスターレンズＭＳＬでは、ゴースト、フレア等の不要光をカットするために、明るさ絞り以外にフレア絞りを配置してもかまわない。第１レンズ群の物体側、第１レンズ群と第２レンズ群間、第２レンズ群と第３レンズ群間、第３レンズ群と第４レンズ群間、第４レンズ群と第５レンズ群間、第５レンズ群と像面間のいずれの場所に配置しても良い。
【０１１４】
また、枠部材によりフレア光線をカットするように構成しても良いし、別の部材を構成しても良い。フレア絞りとして、光学系に直接印刷しても、塗装しても、シールなどを接着してもかまわない。フレア絞りの形状は円形、楕円形、矩形、多角形、関数曲線で囲まれる範囲等、いかなる形状でもかまわない。また有害光束をカットするだけでなく画面周辺のコマフレア等の光束をカットしても良い。
【０１１５】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に使用してもかまわない。画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
【０１１６】
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。特に最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０１１７】
接合面コートの効果的な使用法に関しては、特開平2-27301号、特開2001-324676号、特開2005-92115号、USP7116482等に開示されている。これらの文献では特に正先行ズームレンズの第１レンズ群内の接合レンズ面コートについて述べられており、本発明の第１レンズ群内の接合レンズ面についてもこれら文献に開示されているごとく実施すればよい。
【０１１８】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。
【０１１９】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１２０】
図１３は、本実施形態のリアコンバーターレンズ装置とマスターレンズ装置を組み合わせて撮影レンズに用いた撮像システムの概略断面図である。レンズ部は模式的に現しているが、上述のレンズ系等が使用できる。
【０１２１】
図中、１はカメラ本体であり光路中にクイックリターンミラーを持たないカメラである。２はマスターレンズ装置ＭＳＬの保持体５又はテレコンバーターＴＣの保持体４をカメラ本体１に着脱可能とするカメラ本体におけるマウント部である。３はマスターレンズ装置ＭＳＬの保持体５をカメラ本体１やテレコンバーターＴＣの保持体４に着脱可能とするマスターレンズ装置ＭＳＬにおけるマウント部である。
【０１２２】
テレコンバーターＴＣにおける保持体４にもマスターレンズ装置ＭＳＬを装着するためのマスターレンズ装置側マウント部ａ、カメラ本体を着脱するためのカメラ本体側マウント部ｂをそなえており、装着時にマスターレンズ装置ＭＳＬのマウント部３に当接する物体側マウント面Ｍ１、カメラ本体１と当接する像側マウント面Ｍ２を持つ。
【０１２３】
マウント部のタイプとしては、スクリュータイプのマウントやバヨネットタイプのマウント（この図では、バヨネットタイプのマウントを用いている。）等が用いられる。
【０１２４】
また、Ｐは光路８上に配置され、マスターレンズ装置ＭＳＬとテレコンバーターＴＣにより被写体の像が形成されるＣＣＤ、Ｃ−ＭＯＳ等の撮像素子の撮像面である。撮像素子は、撮像面に結像した像を電気信号に変換し、制御回路１２に信号を送信する。撮像面Ｐ直前には、カバーガラスやフィルター類Ｆが配置される。
【０１２５】
この撮像システムにおける最大像高をＩＨとしている。
【０１２６】
又、１２，１５，１８は明るさ絞りＳやマスターレンズ装置ＭＳＬの焦点距離、フォーカシング等の調節などのための制御回路、１３ａ，１３ｂ、１６ａ、１６ｂはマスターレンズ装置ＭＳＬ及びテレコンバーターＴＬとカメラ本体１とを電気的に接続し、上記調節、制御用の信号の伝達するための電気接点、１７は明るさ絞りＳの制御部である。各レンズ群を制御するレンズ制御部（不図示）とも電気的にカメラ本体１の制御回路１２と接続されている。
【０１２７】
マスターレンズ装置ＭＳＬの各レンズ群の配置に関する情報をカメラ本体１に送信するようにしてもよい。
【０１２８】
本発明のテレコンバーターは、このような構成の撮像システムの光学系（リアテレコンバーター）として用いることができる。
【０１２９】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０１３０】
１…カメラ本体
２…カメラ本体におけるマウント部
３…マスターレンズ装置におけるマウント部
４…テレコンバーターの保持体
５…マスターレンズ装置の保持体
【図１】
0005631928.tif 000002
【図２】
0005631928.tif 000003
【図３】
0005631928.tif 000004
【図４】
0005631928.tif 000005
【図５】
0005631928.tif 000006
【図６】
0005631928.tif 000007
【図７】
0005631928.tif 000008
【図８】
0005631928.tif 000009
【図９】
0005631928.tif 000010
【図１０】
0005631928.tif 000011
【図１１】
0005631928.tif 000012
【図１２】
0005631928.tif 000013
【図１３】
0005631928.tif 000014